【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
トウビンディング及びヒールビンディングと、コンピュータユニット及びメモリシステムと当該安全スキービンディングの少なくとも一つの設定されたセーフティ解放値を検出するためのセンサシステムとを有する電子回路構成と、を具備する安全スキービンディングにおいて、上記電子回路構成が少なくとも一つの電子評価装置とソフトウェア制御されるプログラム可能なマイクロコントローラとを有し、該マイクロコントローラが不揮発性メモリシステムを有し或いは不揮発性メモリシステムに接続されており、上記マイクロコントローラが上記センサシステムによって検出されたセーフティ解放値の手動で変更された設定を格納するようにプログラムされており、検出された設定は不揮発性メモリシステムに記録される、安全スキービンディング。
【請求項２】
一つの電子評価装置とセーフティ解放値の一つを検出するためのセンサシステムとが上記トウビンディング及びヒールビンディング内にそれぞれ配置されている、請求項１に記載の安全スキービンディング。
【請求項３】
ワイヤレスで一方向又は双方向のデータ伝送又は信号伝達をするために各電子評価装置及び送信装置及び／又は受信装置用の別個の電力供給システムを具備する、請求項２に記載の安全スキービンディング。
【請求項４】
上記電子評価装置が当該安全スキービンディングの設定を表示する表示装置に導線接続されている、請求項１〜３のいずれか１項に記載の安全スキービンディング。
【請求項５】
上記電子評価装置が、実際に設定されているセーフティ解放値とその前に有効だった少なくとも１つのセーフティ解放値とを記録するための電子的な不揮発性メモリシステムを有する、請求項２に記載の安全スキービンディング。
【請求項６】
上記電子評価装置が、センサシステムで検出された状態又は状態変化を日付及び／又は時間に関連づけて記録するために電子的な日付モジュール及び／又は時刻モジュールを有する、請求項１〜５のいずれか１項に記載の安全スキービンディング。
【請求項７】
上記電子評価装置が、経過時間をカウントするカウンタを有する、請求項１〜６のいずれか１項に記載の安全スキービンディング。
【請求項８】
上記センサシステムが、スキーシューズに対するヒールビンディングの押圧ばね部の圧接力を測定し或いは調べるための少なくとも１つのセンサを有する、請求項１に記載の安全スキービンディング。
【請求項９】
上記センサシステムが、ヒールビンディングの開閉状態を検出するための少なくとも１つのセンサを有する、請求項１に記載の安全スキービンディング。
【請求項１０】
上記電子評価装置が、上記不揮発性メモリシステムに記録されている検出された設定を読み出すための少なくとも１つのインターフェイスを有する、請求項１に記載の安全スキービンディング。
【請求項１１】
上記不揮発性メモリシステムに記録されている検出された設定を読み出すようにプログラムされた送信装置及び／又は受信装置を具備する、請求項１に記載の安全スキービンディング。
【請求項１２】
上記不揮発性メモリシステムが、電力供給なしでそのメモリ内容が安定しているメモリである、請求項１に記載の安全スキービンディング。
【請求項１３】
電子計算ユニットへデータ信号を伝送し及び／又は周辺の電子計算ユニット、ハンドヘルドコンピュータ、携帯電話、又はその他のモバイル式電子ユニットからデータ信号を受信するように形成されている送信装置及び／又は受信装置または接点を有するインターフェイスを具備する、請求項１〜１２のいずれか１項に記載の安全スキービンディング。
【請求項１４】
上記不揮発性メモリシステムはＥＥＰＲＯＭメモリ又はフラッシュメモリである、請求項１に記載の安全スキービンディング。
【手続補正２】
【補正対象書類名】明細書
【補正対象項目名】０００６
【補正方法】変更
【補正の内容】
【０００６】
本発明の目的は、１番目の発明、すなわち、トウビンディング及びヒールビンディングと、コンピュータユニット及びメモリシステムと当該安全スキービンディングの少なくとも一つの設定されたセーフティ解放値を検出するためのセンサシステムとを有する電子回路構成と、を具備する安全スキービンディングにおいて、上記電子回路構成が少なくとも一つの電子評価装置とソフトウェア制御されるプログラム可能なマイクロコントローラとを有し、該マイクロコントローラが不揮発性メモリシステムを有し或いは不揮発性メモリシステムに接続されており、上記マイクロコントローラが上記センサシステムによって検出されたセーフティ解放値の手動で変更された設定を格納するようにプログラムされており、検出された設定は不揮発性メモリシステムに記録される、安全スキービンディングによって達成される。
【手続補正３】
【補正対象書類名】明細書
【補正対象項目名】０００７
【補正方法】変更
【補正の内容】
【０００７】
また、２番目の発明では、１番目の発明において、一つの電子評価装置とセーフティ解放値の一つを検出するためのセンサシステムとが上記トウビンディング及びヒールビンディング内にそれぞれ配置されている。
また、３番目の発明では、２番目の発明において、ワイヤレスで一方向又は双方向のデータ伝送又は信号伝達をするために各電子評価装置及び送信装置及び／又は受信装置用の別個の電力供給システムを具備する。
４番目の発明では、１〜３番目の発明のいずれか１つにおいて、上記電子評価装置が当該安全スキービンディングの設定を表示する表示装置に導線接続されている。
【手続補正４】
【補正対象書類名】明細書
【補正対象項目名】０００８
【補正方法】変更
【補正の内容】
【０００８】
５番目の発明では、２番目の発明において、上記電子評価装置が、実際に設定されているセーフティ解放値とその前に有効だった少なくとも１つのセーフティ解放値とを記録するための電子的な不揮発性メモリシステムを有する。
６番目の発明では、１〜５番目の発明のいずれか１つにおいて、上記電子評価装置が、センサシステムで検出された状態又は状態変化を日付及び／又は時間に関連づけて記録するために電子的な日付モジュール及び／又は時刻モジュールを有する。
７番目の発明では、１〜６番目の発明のいずれか１つにおいて、上記電子評価装置が、経過時間をカウントするカウンタを有する。
【手続補正５】
【補正対象書類名】明細書
【補正対象項目名】０００９
【補正方法】変更
【補正の内容】
【０００９】
８番目の発明では、１番目の発明において、上記センサシステムが、スキーシューズに対するヒールビンディングの押圧ばね部の圧接力を測定し或いは調べるための少なくとも１つのセンサを有する。
９番目の発明では、１番目の発明において、上記センサシステムが、ヒールビンディングの開閉状態を検出するための少なくとも１つのセンサを有する。
１０番目の発明では、１番目の発明において、上記電子評価装置が、上記不揮発性メモリシステムに記録されている検出された設定を読み出すための少なくとも１つのインターフェイスを有する。
【手続補正６】
【補正対象書類名】明細書
【補正対象項目名】００１０
【補正方法】変更
【補正の内容】
【００１０】
１１番目の発明では、１番目の発明において、上記不揮発性メモリシステムに記録されている検出された設定を読み出すようにプログラムされた送信装置及び／又は受信装置を具備する。
１２番目の発明では、１番目の発明において、上記不揮発性メモリシステムが、電力供給なしでそのメモリ内容が安定しているメモリである。
１３番目の発明では、１〜１２番目の発明のいずれか１つにおいて、電子計算ユニットへデータ信号を伝送し及び／又は周辺の電子計算ユニット、ハンドヘルドコンピュータ、携帯電話、又はその他のモバイル式電子ユニットからデータ信号を受信するように形成されている送信装置及び／又は受信装置または接点を有するインターフェイスを具備する。
１４番目の発明では、１番目の発明において、上記不揮発性メモリシステムはＥＥＰＲＯＭメモリ又はフラッシュメモリである。